(57)【要約】【課題】強風に対して安定性のある軽量型の架台を構成し、限られたスペースに多くの発電モジュールを設置することが可能な太陽光発電モジュール用架台システムを提供する。【解決手段】太陽電池モジュールＰを支持する架台１０を設ける。太陽電池モジュールＰの受光面Ｐ１が傾斜するように架台１０に設置する。太陽電池モジュールＰの周囲に開いた隙間を閉塞するカバー体２０を設ける。一対の太陽電池モジュールＰを組み合せて発電モジュールユニットＱを設ける。発電モジュールユニットＱの各受光面Ｐ１の向きを東西に向けて設置するように構成する。【選択図】図１
2014224382.tif 000002
【特許請求の範囲】
【請求項１】
設置面にフレームを組み合わせて載置し太陽電池モジュールを支持する架台と、受光面が傾斜するように架台に設置した太陽電池モジュールの周囲から設置面までに開いた隙間を閉塞するカバー体とを備え、太陽電池モジュールに吹付ける風圧を太陽電池モジュールの押圧力に利用できるように構成した太陽電池モジュール用架台において、一対の太陽電池モジュールの受光面が側面山形状を成すように架台に設置して発電モジュールユニットを設け、該発電モジュールユニットの各受光面の向きを東西に向けて設置するように構成したことを特徴とする太陽光発電モジュール用架台システム。
【請求項２】
前記発電モジュールユニットは、南北に併設するときに隣接する前記太陽電池モジュール相互が近接するように配置され、東西に併設するときに隣接する前記発電モジュールユニット相互間に通路用の間隔を開けて配置されるように構成した請求項１記載の太陽光発電モジュール用架台システム。
【請求項３】
前記架台は、水平設置面に東西向きに平行に配置される一対の基礎フレームと、該基礎フレーム相互を連結する連結フレームと、基礎フレームに立設され前記太陽電池モジュールの傾斜した受光面の下端部側を支持する下部支持脚と、前記太陽電池モジュールの傾斜した受光面の上端側を支持する上部支持脚とで構成された請求項１記載の太陽光発電モジュール用架台システム。
【請求項４】
前記カバー体は、前記発電モジュールユニットの東西側に配置される先端カバーと、前記発電モジュールユニットの南北側に配置され前記発電モジュールユニットの側面から設置面に向けて傾斜する側面カバーと、前記太陽電池モジュール相互の連結部分を覆う上面カバーとで構成された請求項１記載の太陽光発電モジュール用架台システム。
【発明の詳細な説明】
【技術分野】
【０００１】
本発明は、主に平坦な屋上などに太陽光電池モジュールを設置する際に、効率良く設置することができる太陽光発電モジュール用架台システムに関するものである。
【背景技術】
【０００２】
当出願人は、先に、特許文献１乃至３のごとく、軽量で設置作業を合理化することができ、しかも、軽量でありながら強風に対して極めて安定性のある設置が可能な軽量型の太陽光発電モジュール用架台を提案している。
【０００３】
これらの軽量型の架台は、設置面に組み合わせ載置した架台の上に、受光面が傾斜した複数台の発電モジュールを設置し、この傾斜した発電モジュールの周囲から設置面までに開いた隙間を覆うカバー体を形成したものである。このカバー体を外側に傾斜するように装着することで、発電モジュールに吹付ける風圧によって発電モジュールを設置面に押圧するように構成したものである。
【０００４】
このように風圧を利用することで、軽量でありながら強風に対して極めて安定性のある設置が可能になり、しかも組立て作業も簡単且つ合理的に行うことができる架台の提供に成功している。
【先行技術文献】
【特許文献】
【０００５】
【特許文献１】特開２０１２‐８７５６０号公報
【特許文献２】特開２０１２‐９７４３９号公報
【特許文献３】特開２０１２‐１３４４０８号公報
【発明の概要】
【発明が解決しようとする課題】
【０００６】
これら従来の軽量型の架台を平坦な屋上等に設置するには、受光効率を高めると共に、雨や塵等が受光面に溜まらないようにするため、受光面を南向きに傾斜した状態で設置している。また、これら従来の軽量型の架台は、発電モジュールの周囲の隙間をカバー体で覆うことで、軽量でも強風に対して極めて安定性のある設置が可能になるものであるから、限られたスペースに、できるだけ多数の発電モジュールを設置しようとすると、この外側に傾斜したカバー体が増設の妨げになっていた。
【０００７】
すなわち、傾斜した受光面を南向きにして設置した場合、北側には外側に傾斜したカバー体が張り出すことになる（図１０参照）。更に、各発電モジュールの設置やメンテナンスのために、作業員の通路も確保する必要がある。そのため、従来の軽量型の架台を利用して限られたスペースに、できるだけ多くの発電モジュールを設置しようとすると、外側に張り出すカバー体や通路に多くのスペースが必要になり、これらのスペースが発電モジュールの増設の妨げになるものであった。
【０００８】
そこで、本発明は上述の課題を解消すべく創出されたもので、強風に対して極めて安定性のある設置が可能になる軽量型の架台を構成し、しかも、限られたスペースに多くの発電モジュールを設置することが可能な太陽光発電モジュール用架台システムの提供を目的とするものである。
【課題を解決するための手段】
【０００９】
上述の目的を達成すべく本発明の第１の手段は、設置面にフレームを組み合わせて載置し太陽電池モジュールＰを支持する架台１０と、受光面Ｐ１が傾斜するように架台１０に設置した太陽電池モジュールＰの周囲から設置面までに開いた隙間を閉塞するカバー体２０とを備え、太陽電池モジュールＰに吹付ける風圧を太陽電池モジュールＰの押圧力に利用できるように構成した太陽電池モジュール用架台において、一対の太陽電池モジュールＰの受光面Ｐ１が側面山形状を成すように架台１０に設置して発電モジュールユニットＱを設け、該発電モジュールユニットＱの各受光面Ｐ１の向きを東西に向けて設置するように構成したことにある。
【００１０】
第２の手段において、前記発電モジュールユニットＱは、南北に併設するときに隣接する前記太陽電池モジュールＰ相互が近接するように配置され、東西に併設するときに隣接する前記発電モジュールユニットＱ相互間に通路用の間隔Ｑ１を開けて配置されるように構成したものである。
【００１１】
第３の手段の前記架台１０は、水平設置面に東西向きに平行に配置される一対の基礎フレーム１１と、該基礎フレーム１１相互を連結する連結フレーム１２と、基礎フレーム１１に立設され前記太陽電池モジュールＰの傾斜した受光面Ｐ１の下端部側を支持する下部支持脚１３と、前記太陽電池モジュールＰの傾斜した受光面Ｐ１の上端側を支持する上部支持脚１４とで構成されている。
【００１２】
第４の手段の前記カバー体２０は、前記発電モジュールユニットＱの東西側に配置される先端カバー２１と、前記発電モジュールユニットＱの南北側に配置され前記発電モジュールユニットＱの側面から設置面に向けて傾斜する側面カバー２２と、前記太陽電池モジュールＰ相互の連結部分を覆う上面カバー２３とで構成されたものである。
【発明の効果】
【００１３】
本発明の請求項１のごとく、一対の太陽電池モジュールＰの受光面Ｐ１が側面山形状を成すように架台１０に設置して発電モジュールユニットＱを設け、該発電モジュールユニットＱの各受光面Ｐ１の向きを東西に向けて設置するように構成したことにより、軽量型の架台を提供しながら、限られたスペースに多くの太陽電池モジュールＰを設置することが可能になった。
【００１４】
請求項２のように、前記発電モジュールユニットＱは、南北に併設するときに隣接する前記太陽電池モジュールＰ相互が近接するように配置され、東西に併設するときに隣接する前記発電モジュールユニットＱ相互間に通路用の間隔Ｑ１を開けて配置されるように構成したことで、多数の太陽電池モジュールＰを合理的に設置でき、しかも、各太陽電池モジュールＰのメンテナンスも容易になるものである。
【００１５】
請求項３のごとく、前記架台１０は、水平設置面に東西向きに平行に配置される一対の基礎フレーム１１と、該基礎フレーム１１相互を連結する連結フレーム１２と、基礎フレーム１１に立設され前記太陽電池モジュールＰの傾斜した受光面Ｐ１の下端部側を支持する下部支持脚１３と、前記太陽電池モジュールＰの傾斜した受光面Ｐ１の上端側を支持する上部支持脚１４とで構成したことで、部品点数が少なくなり、しかも、強固な架台１０を構成することができる。
【００１６】
請求項４のように、前記カバー体２０は、前記発電モジュールユニットＱの東西側に配置される先端カバー２１と、前記発電モジュールユニットＱの南北側に配置され前記発電モジュールユニットＱの側面から設置面に向けて傾斜する側面カバー２２と、前記太陽電池モジュールＰ相互の連結部分を覆う上面カバー２３とで構成したことで、これらのカバー体２０により太陽電池モジュールＰに吹付ける風圧を利用して太陽電池モジュールＰを設置面に押圧することができる。この結果、軽量でありながら強風に対して極めて安定性のある設置が可能になる。
【図面の簡単な説明】
【００１７】
【図１】本発明の発電モジュールユニットの一実施例を示す斜視図である。
【図２】本発明の発電モジュールユニットの一実施例を示す平面図である。
【図３】本発明の発電モジュールユニットの架台の一実施例を示す平面図である。
【図４】本発明の発電モジュールユニットの一実施例を示す側面図である。
【図５】本発明の発電モジュールユニットの架台の一実施例を示す側面図である。
【図６】本発明の発電モジュールユニットの一実施例を示す正面図である。
【図７】本発明の発電モジュールユニットの架台の一実施例を示す正面図である。
【図８】本発明の発電モジュールユニットを連設した例を示す要部平面図である。
【図９】本発明の発電モジュールユニットを連設した例を示す平面図である。
【図１０】従来の軽量型架台を使用して連設した例を示す平面図である。
【発明を実施するための形態】
【００１８】
このように本発明によると、強風に対して極めて安定性のある設置が可能になる軽量型の架台を構成し、しかも、限られたスペースに多くの発電モジュールを設置することができるといった目的を実現した。
【００１９】
以下、本発明システムの一実施例を説明する。本発明は軽量型の架台を組み合せて構成した発電モジュールユニットＱを設け、この発電モジュールユニットＱの各受光面Ｐ１の向きを東西に向けて設置するように構成したものである（図９参照）。
【００２０】
発電モジュールユニットＱは、一対の太陽電池モジュールＰの受光面Ｐ１が側面山形状を成すように組み合せて架台１０に支持したものである（図４参照）。この架台１０は、設置面にフレームを組み合わせて載置し太陽電池モジュールＰを支持する部材で、受光面Ｐ１が傾斜するように支持固定する。
【００２１】
架台１０の材質として、例えば、鉄、アルミニウム、ステンレス等の金属材や強化プラスチック等の合成樹脂材などで形成される。図示例の架台１０は、基礎フレーム１１、連結フレーム１２、下部支持脚１３、上部支持脚１４にて構成されている（図３、図７参照）。基礎フレーム１１は、水平設置面に東西向きに平行に配置される一対の部材で、この基礎フレーム１１を連結フレーム１２が連結して一体化する。
【００２２】
下部支持脚１３と上部支持脚１４とは、基礎フレーム１１に立設される部材で、下部支持脚１３は、太陽電池モジュールＰの傾斜した受光面Ｐ１の下端部側を支持し、上部支持脚１４は、太陽電池モジュールＰの傾斜した受光面Ｐ１の上端側を支持するものである（図５、図７参照）。これら下部支持脚１３と上部支持脚１４との上端部には、連結ボルト１５を介して太陽電池モジュールＰを押さえる係止片１６が連結されている（図４、図５参照）。そして、太陽電池モジュールＰの上面端部とカバー体２０の上面とに係止するものである（図１参照）。
【００２３】
このとき、基礎フレーム１１の幅を２台並列状態の太陽電池モジュールＰの南北向き端部を同時に載置する幅に形成し、該基礎フレーム１１に、太陽電池モジュールＰの端部、又は太陽電池モジュールＰの端部とカバー体２０とを同時に装着するように構成している（図８参照）。
【００２４】
更に、基礎フレーム１１は、架台１０の上に載置した一対の太陽電池モジュールＰ及びカバー体２０の東西側に突出し、発電モジュールユニットＱへの配線口１１Ａを形成すると共に、該配線口１１Ａを施蓋する端部カバー２４を備えている（図１参照）。
【００２５】
発電モジュールユニットＱの架台１０には、設置した太陽電池モジュールＰの周囲から設置面までに開いた隙間を閉塞するカバー体２０を備えている（図１参照）。これらのカバー体２０によって、太陽電池モジュールＰに吹付ける風圧を太陽電池モジュールＰの押圧力に利用できるように構成したものである。
【００２６】
図示のカバー体２０は、先端カバー２１、側面カバー２２、上面カバー２３にて構成されている（図２参照）。先端カバー２１は、発電モジュールユニットＱの東西側に配置されるカバーで、傾斜した太陽電池モジュールＰの下端部側に配設する。側面カバー２２は、発電モジュールユニットＱの南北側に配置されるカバーで、発電モジュールユニットＱの側面から設置面に向けて傾斜している（図６参照）。上面カバー２３は、太陽電池モジュールＰ相互の連結部分を覆うカバーであり、太陽電池モジュールＰの上端部相互間に配設する（図２参照）。
【００２７】
本発明では、このように構成した発電モジュールユニットＱを設置する際に、発電モジュールユニットＱの各受光面Ｐ１の向きを東西に向けて複数の発電モジュールユニットＱ設置するものである。図示例では、南北に隣接する太陽電池モジュールＰ相互が近接するように配置している。また、東西に隣接する発電モジュールユニットＱ相互間に通路用の間隔Ｑ１を開けて配置している（図９参照）。
【００２８】
カバー体２０は、架台１０に設置した発電モジュールＰの側面から設置面に向けて傾斜する側面カバー２１と、発電モジュールＰの前後面から水平設置面に向けて傾斜する前面カバー２２及び後面カバー２３と、基礎フレーム１１の端部上面をカバーする端部カバー２４とで構成されている（図１参照）。
【００２９】
そして、基礎フレーム１１に装着した下部支持脚１３と上部支持脚１４から上方に突出した連結ボルト１７に、係止片１６を介してカバー体２０を連結することで、太陽電池モジュールＰとカバー体２０とが架台１０に同時に固定されるものである（図２参照）。
【００３０】
側面カバー２１は、太陽電池モジュールＰの左右側縁部から外側に傾斜した一対のカバーである（図３参照）。図示の側面カバー２１は、太陽電池モジュールＰの左右側縁に沿った帯状の上面部２１Ａと、この上面部２１Ａからそれぞれ屈曲形成された側面部２１Ｂと、前面部２１Ｃと、後面部２１Ｄとを備えている。側面部２１Ｂは、架台１０の側部の外側に傾斜している。更に、前面部２１Ｃは、前面カバー２２の端部を覆い。後面部２１Ｄは、後面カバー２３の端部を覆っている。
【００３１】
後面カバー２３は、太陽電池モジュールＰの後側縁部から外側に傾斜したカバーである（図３参照）。この後面カバー２３は、太陽電池モジュールＰの後側縁に沿って形成した帯状の上面部２３Ａから、架台１０の外側に傾斜した後面部２３Ｂを備えている。
【００３２】
端部カバー２４は、太陽電池モジュールＰを設置した基礎フレーム１１の端部を覆うもので、配線用の出口を現場にて加工するものである（図１参照）。
【００３３】
本発明架台の組み立て手順は次のとおりである。まず、水平設置面の左右に基礎フレーム１１を複数本並行に配置する。次に、各基礎フレーム１１を連結フレーム１２で連結する。更に、下部支持脚１３と上部支持脚１４とを設置すると共に、これらの上部に一対の太陽電池モジュールＰを設置固定して発電モジュールユニットＱを構成する。このとき、東西の発電モジュールユニットＱ間に通路となる間隔Ｑ１を設ける。一方、南北の発電モジュールユニットＱ間を密接状態にして連設するものである（図９参照）。作業者は、この間隔Ｑ１を介して発電モジュールユニットＱを設置し、あるいは太陽電池モジュールＰのメンテナンスを行うものである。
【００３４】
図９のように、６ｍ×１９ｍのスペースに発電モジュールユニットＱを配置することにより、５２台もの太陽電池モジュールＰを設置することが可能になった。従来の架台を同じスペースに設置した場合、太陽電池モジュールＰの設置は４４台が限界であったことから（図１０参照）、同じスペースでより大きな電力量を提供することが可能になる。
【００３５】
尚、本発明の各構成は図示例に限定されるものではなく、本発明の要旨を変更しない範囲において自由に変更できるものである。例えば、本発明によると、主にビルの屋上のような水平設置面に設置するのに好適であるが、この他、地上での使用などあらゆる場所に太陽電池モジュールＰを設置することが可能である。
【符号の説明】
【００３６】
Ｐ  太陽電池モジュール
Ｐ１  受光面
Ｑ  発電モジュールユニット
１０  架台
１１  基礎フレーム
１１Ａ  配線口
１２  連結フレーム
１３  下部支持脚
１４  上部支持脚
１５  連結ボルト
１６  係止片
２０  カバー体
２１  先端カバー
２２  側面カバー
２３  上面カバー
２４  端部カバー
【図１】
2014224382.tif 000003
【図２】
2014224382.tif 000004
【図３】
2014224382.tif 000005
【図４】
2014224382.tif 000006
【図５】
2014224382.tif 000007
【図６】
2014224382.tif 000008
【図７】
2014224382.tif 000009
【図８】
2014224382.tif 000010
【図９】
2014224382.tif 000011
【図１０】
2014224382.tif 000012